(57)【要約】【課題】排水性能を確保しつつ高さ寸法を小さくすることができるとともに、排水口の洗い場床側への張り出し幅を抑えることができる排水トラップを提供することを目的としている。【解決手段】封水を溜める封水貯水部、防水床パンの排水口を臨む位置に設けられて下端が封水貯水部内に入り込む封水筒部、および、オーバーフロー堰によって封水貯水部との間が仕切られ、封水貯水部からオーバーフロー堰を越えた排水を受けて排水路に送る排水部を備え、防水床パンの排水口から流れ込む排水を受ける排水トラップにおいて、前記封水筒部が横断面長孔形状になっていることを特徴としている。【選択図】      図１
2010156098.tif 000002
【特許請求の範囲】
【請求項１】
封水を溜める封水貯水部、防水床パンの排水口を臨む位置に設けられて下端が封水貯水部内に入り込む封水筒部、および、オーバーフロー堰によって封水貯水部との間が仕切られ、封水貯水部からオーバーフロー堰を越えた排水を受けて排水路に送る排水部を備え、防水床パンの排水口から流れ込む排水を受ける排水トラップにおいて、
前記封水筒部が横断面長孔形状になっていることを特徴とする排水トラップ。
【請求項２】
封水貯水部および排水路に送る排水部を有するトラップ本体と、
封水貯水部内に臨む封水筒部およびこの筒部の上端から外側に張り出すフランジ部を有し、トラップ本体に着脱自在な封水筒とを備える請求項１に記載の排水トラップ。
【請求項３】
トラップ本体が平面視略四角形をしていて、オーバーフロー堰が封水筒の筒部の長手軸に平行に設けられているとともに、封水貯水部の側壁が前記オーバーフロー堰に向かう傾斜面に形成されている請求項２に記載の排水トラップ。
【請求項４】
封水貯水部の筒部の短手軸に平行な一方の側壁に沿って排水路の一部を構成する排水管部を有し、この排水管部が、防水床パン側から排水口越しに視認できる位置に、洗浄用ホースを挿入可能で開閉自在な排水管部内の清掃口を備えている請求項１〜請求項３のいずれかに記載の排水トラップ。
【発明の詳細な説明】
【技術分野】
【０００１】
本発明は、浴室の洗い場床やシャワー室の床等の防水床の排水口に流入した排水を受けるように配置される排水トラップに関する。
【背景技術】
【０００２】
浴室ユニットは、建物躯体の決まった大きさの空間内に設置されるために、排水配管などの配管設備を含むユニット全体の高さ寸法は決まってしまう。
したがって、洗い場から浴室天井までの高さをできるだけ高くしようとすると、基礎床や床スラブ等の浴室ユニットの設置面から洗い場床面までの高さをできるだけ小さくすることが求められる。
【０００３】
また、浴室ユニットは、防水床パンとしての洗い場を構成する洗い場パンの排水口下方に、排水路の汚臭が浴室内に浸入しないように排水トラップが設けられている（たとえば、特許文献１参照）が、洗い場パン下側に配置される配管設備においては、通常、この排水トラップの下端から洗い場パンの下面までの高さ寸法が最も長い。
したがって、排水トラップの薄型化が浴室ユニットの設置面から洗い場床面までの高さを小さく押さえることができる一つの手法となる。
【０００４】
ところで、図２１に示すように、従来の排水トラップ１００は、トラップ本体２００と、封水筒３００とを備え、トラップ本体２００の封水貯水部２１０に溜められた封水４００に、封水筒３００がその円筒形をした封水筒部３１０の下端部を浸漬状態とされることによって、排水路（図示せず）からの汚臭が排水口５００から浴室側へ浸入することを防止するようになっているが、封水筒部３１０の封水４００への最大浸漬長さ（封水筒部３１０の下端から封水４００の最高水位までの高さ）は、あまり短くすると、封水４００の蒸発により、短時間で封水４００の水位が封水筒部３１０の下端より低くなってしまう、また、排水配管を水が満管で流れることにより、封水が排水配管に引き込まれて減少してしまう場合がある。
したがって、封水筒部３１０の封水４００へ最大浸漬長さ（封水深）は、５０ｍｍ以上に決められている。すなわち、排水トラップ１００の高さ寸法を小さくするために封水筒部３１０の封水４００へ最大浸漬長さ（封水深）を短くするのには限界がある。
【０００５】
他方、封水貯水部２１０の底を浅くすることによって、排水トラップ全体の高さ寸法を小さくする方法もあるが、封水貯水部２１０の底を浅いものとすると、封水貯水部２１０の底と封水筒部３１０との下端面との隙間６００が狭くなり、抵抗が大きくなるため、排水口５００から流入した排水がうまく排水路側に流れにくくなるおそれがある。
そこで、封水筒部３１０の径を大きくして封水貯水部２１０の底と封水筒部３１０との下端面とで形成されるリング状部分のリング周面の総面積（以下、「浸水部上端通水面積」と記す）を大きくすれば、隙間６００が狭くなってもスムーズに排水路に流れるようにすることができる。
しかし、封水筒部３１０の径を大きくしすぎると、洗い場で発生した洗剤の泡が封水筒部３１０内に溜まり、うまく流れなくなるとともに、排水口５００も洗い場の内側に大きく張り出さざるを得ず、排水口５００の蓋がずれていたりすると、入浴者が排水口５００に足を取られて転倒するおそれがある。
また、洗い場床の水下からトラップの封水面までの高さ寸法を小さくして、排水トラップ全体の高さ寸法を小さくする方法もある。しかし、洗い場で発生した洗剤の泡は一旦封水面状に溜まり、少しずつ封水下に沈んで流れていく。よって、洗い場床の水下からトラップの封水面までの高さ寸法を小さくすると、泡を一時的に蓄える体積が小さくなり、泡が多いと封水下に沈んで流れていく速度が追いつかずにうまく流れなくなる。
【０００６】
【特許文献１】特開２００６-２８３５１７号公報
【発明の開示】
【発明が解決しようとする課題】
【０００７】
本発明は、上記事情に鑑みて、排水性能を確保しつつ高さ寸法を小さくすることができるとともに、排水口の洗い場床側への張り出し幅を抑えることができる排水トラップを提供することを目的としている。
【課題を解決するための手段】
【０００８】
上記目的を達成するために、本発明にかかる排水トラップは、封水を溜める封水貯水部、防水床パンの排水口を臨む位置に設けられて下端が封水貯水部内に入り込む封水筒部、および、オーバーフロー堰によって封水貯水部との間が仕切られ、封水貯水部からオーバーフロー堰を越えた排水を受けて排水路に送る排水部を備え、防水床パンの排水口から流れ込む排水を受ける排水トラップにおいて、前記封水筒部が横断面長孔形状になっていることを特徴としている。
【０００９】
本発明の排水トラップにおいて、横断面長孔形状とは、長方形、楕円形、長方形のコーナー部が湾曲形状になった長円形を意味し、排水性及び清掃性を考慮すると長円形が好ましい。
横断面長孔形状をした封水筒部の大きさは、泡を含む排水を、スムーズに排水する一方で、人がスポンジタワシ等を手でもって筒部内を清掃できる大きさであることが好ましい為に、短手方向が５０ｍｍ程度、長手方向が１００〜１３０ｍｍ程度の大きさとすることが好ましい。
【００１０】
排水口から泡流れのメカニズムを説明すると、洗い場で発生した泡は、シャワー等の散水による水の流れに導かれて、排水口に吸い込まれる。
排水口に入り、封水上にきた泡は水より軽い為に浮こうとするが、水は泡を巻き込みながら封水下に流れ、封水筒部の下端と封水トラップの底との隙間を通って排水される。
つまり、排水口に吸い込まれた泡は、時間を掛けて流れていくのであり、すぐに流れない泡は排水口蓋の下のスペースに一時的にとどまる。
したがって、排水口周囲の洗い場面〜トラップ底面までの寸法を小さくすると言うことは、排水口下に一時的に泡を蓄えるスペースを小さくすることになり、大量の泡が急に流れ込むと、一時的に前記スペースが泡で満杯になり、泡が排水口に吸い込まれなくなり、泡が流れない状態を招くおそれが生じる。
すなわち、封水下に潜り込もうとする水の流速が早いほうが、泡の浮力に逆らって泡を封水下に沈めやすくなる。つまり、泡流れ性能の向上が図れる。
因みに、排水口に流れ込む水の量をQ、封水筒部の横断面積をA、封水筒部を上から下へ流れる水の流速をVwとすると、次式が成り立つ。
Q  =  A  ｘ  Vw
上記式から、排水口周囲の洗い場面〜トラップ底面までの寸法が同じであれば、Aを小さくする方がVwを大きくすることができ、泡流れ性能が高くなることがわかる。
但し、Ａをあまりに小さくすると封水筒部内にスポンジを持った手が入りにくくなる。
よって、泡流れ性能、封水性能及び排水性能を確保しつつ封水筒部内の清掃性を向上させる為には、封水筒部の横断面積を上記のような寸法とすることが好ましい
【００１１】
また、本発明の排水トラップは、封水貯水部および排水路に送る排水部を有するトラップ本体と、封水貯水部内に臨む封水筒部およびこの筒部の上端から外側に張り出すフランジ部を有し、トラップ本体に着脱自在な封水筒とを備える構成としてもよい。
そして、上記排水トラップは、特に限定されないが、例えば、トラップ本体が平面視略四角形をしていて、オーバーフロー堰が封水筒の筒部の長手軸に平行に設けられているとともに、封水貯水部の側壁が前記オーバーフロー堰に向かう傾斜面に形成されていること、及び、封水貯水部の筒部の短手軸に平行な一方の側壁に沿って排水路の一部を構成する排水管部を有し、この排水管部が、防水床パン側から排水口越しに視認できる位置に、洗浄用ホースを挿入可能で開閉自在な排水管部内の清掃口を備えていることが好ましい。
【００１２】
なお、上記清掃口の開閉方式は、特に限定されないが、例えば、排水口の蓋を取り除き、あるいは、排水口の蓋を取り除いたのち、さらに封水筒を排水口側に引き上げることによって、清掃口を排水口から視認可能な状態にしたのち、清掃口に着脱自在なねじ式等の水密性を備えたキャップを着脱する方式、封水筒の封水筒部から外側に張り出すフランジ部の裏面に清掃口に水密に嵌り込む突部を設け、封水筒を排水口側に引き上げると同時に清掃口が開放され、封水筒をトラップ本体に装着すると同時に前記突部が清掃口に水密に嵌り込む方式などが挙げられる。
【発明の効果】
【００１３】
本発明にかかる排水トラップは、封水を溜める封水貯水部、防水床パンの排水口を臨む位置に設けられて下端が封水貯水部内に入り込む封水筒部、および、オーバーフロー堰によって封水貯水部との間が仕切られ、封水貯水部からオーバーフロー堰を越えた排水を受けて排水路に送る排水部を備え、防水床パンの排水口から流れ込む排水を受ける排水トラップにおいて、前記封水筒部が横断面長孔形状になっているので、筒部下端面と封水貯水部の底面との隙間が同じであれば、円筒に比べ浸水部上端通水面積が大きくなる。
【００１４】
したがって、封水筒部を円筒にした場合に比べ、封水貯水部の底を洗い場床側に近づけることができる。すなわち、排水トラップの高さ方向の寸法を小さくして浴室ユニットの設置面から洗い場床面までの高さを小さくすることができる。
また、排水口を洗い場床の端縁に沿って長穴状にすることができ、排水口の洗い場床面側への張り出し幅を少なくできるので浴室内の安全性を高めることができる。
【００１５】
そして、トラップ本体が平面視略四角形をしていて、トラップ本体が平面視略四角形をしていて、オーバーフロー堰が封水筒の筒部の長手軸に平行に設けられているとともに、封水貯水部の側壁が前記オーバーフロー堰に向かう傾斜面に形成されていれば、封水貯水部に溜められた封水が、封水筒の封水筒部から流れ込む排水の流れ込みに伴ってオーバーフロー堰を乗り越えてスムーズに排水部に流れ込み、排水路へ排水される。
【００１６】
また、封水貯水部の封水筒部の短手軸に平行な一方の側壁に沿って排水路の一部を構成する排水管部を有し、この排水管部が、防水床パン側から排水口越しに視認できる位置に、洗浄用ホースを挿入可能で開閉自在な排水管部内の清掃口を備えていれば、清掃口から高圧洗浄ホースを排水路内に挿入し、容易に排水路内を洗浄することができる。
【発明を実施するための最良の形態】
【００１７】
以下に、本発明を、その実施の形態をあらわす図面を参照しつつ詳しく説明する。
図１は、本発明にかかる排水トラップの第１の実施の形態をあらわしている。
【００１８】
図１に示すように、この排水トラップＡは、ＡＢＳ樹脂等の合成樹脂からなるトラップ本体1と、封水筒２ａとを備えている。
トラップ本体1は、本体部３と、排水管部４と、防水床パン連通部５とを備え、図２に示すように、平面視略矩形をしている。
【００１９】
本体部３は、図３に示すように、後で詳述する封水筒２ａの封水筒部２１の長手軸に平行に設けられたオーバーフロー堰３１を介して仕切られた封水貯水部３２と、排水部３３と、上蓋部３４とを備えている。
封水貯水部３２は、オーバーフロー堰３１側が底３２ｅからオーバーフロー堰３１の上端に向かう傾斜面になっていて、図４及び図５に示すように、その他の側壁面３２ｂ〜３２ｄが底３２ｅから垂直に立ち上がっている。
【００２０】
上蓋部３４は、図３に示すように、排水部３３及び封水筒２ａの装着部を除く部分の上面を覆うように設けられている。
排水管部４は、オーバーフロー堰３１側の側壁面３２ａに直交する他方の側壁面３２ｄの外壁面に沿って設けられ、排水部３３側が受口４１、他側が差口４２となった直管状をしている。
排水管部４には、後で詳述する封水筒２ａのフランジ部２２の長軸方向の一端部を受ける封水筒受部４３が設けられ、封水筒受部４３に清掃口４４が穿設されている。
【００２１】
清掃口４４は、後で詳述する封水筒２ａのフランジ裏面に設けられた弾性突起２３が弾性嵌合することによって水密状態に閉じられるとともに、排水口７１側へ封水筒２ａを取り外すことによって、弾性突起２３の嵌合が解除されて開放状態となり、図６に鎖線でしめすように排水口７１側から排水管部４内に高圧洗浄用ホースＨを挿通できるようになっている。
防水床パン連通部５は、本体部３の封水貯水部３２の上蓋部３４が無い開口部上に配置され、下端が接着または融着によって本体部３に水密に固着されているとともに、封水筒２ａの外周形状と同じか少し大きな長円形の筒状部５１を有している。
【００２２】
筒状部５１は、その下端側に後で詳述する封水筒２ａのフランジ部２２を下側から受けるように筒状部５１の他の部分より内側に突出する段部５２を備えている。
また、防水床パン連通部５の上端部には筒状部５１の外側に向かって延出するフランジ部５３を備えている。
フランジ部５３は、その筒状部５１に長手軸に平行な両端縁から本体部３方向に係止リブ５４がフランジ部５３に直交するように設けられている。
【００２３】
封水筒２ａは、封水筒部２１とフランジ部２２とを備えている。封水筒部２１は、内壁面側が、長軸が１３０ｍｍ、短軸が５０ｍｍの長円形をしている。
フランジ部２２は、封水筒部２１の長手軸方向に大きく張り出す長円形をしていて、長軸側の一端部の封水筒受部４３に受けられる部分に清掃口４４に水密に嵌り込むゴム製の弾性突起２３を備えている。
【００２４】
そして、封水筒２ａは、封水筒部２１が封水貯水部３２内に臨み、防水床パン連通部５の段部５２及び排水管部４の封水筒受部４３にフランジ部２２が受けられた状態で、清掃口４４を水密に閉じるとともに、封水筒部２１の下端面と封水貯水部３２の底３２ｅとの間に８ｍｍの隙間Ｓが生じるように装着されるようになっている。
【００２５】
そして、この排水トラップＡは、以下のようにして浴室ユニットの防水床パンに装着される。
すなわち、図７に示すように、浴槽側の端縁部の中央に長円形の排水口７１を有する洗い場床を構成する防水床パン７ａの下面に排水口７１を臨むように排水トラップ固定用のアダプター８を固定する。
すなわち、アダプター８は、排水口７１と略同じ長円形の開口８１を中央部に有するとともに、防水床パン連通部５のフランジ部５３及び係止リブ５４と対称形状のフランジ部８２及び係止リブ８３を備え、フランジ部８２が排水トラップＡ側を向くとともに、開口８１と排水口７１が一致するようにビス８４で防水床パン７ａの下面に固定される。
【００２６】
次に、図８及び図９に示すように、パッキン８５，８６を介してフランジ部５３とフランジ部８２を突き合わせた状態で、図９〜図１１に示すように、断面略Ｃ字形をした係合部材８７を係止リブ５４及び係止リブ８３にスライド嵌合させて排水トラップＡを防水床パン７ａに支持固定する。
そして、浴槽パン７ｂに設けられた浴槽排水用排水トラップＺから延出する排水配管Ｐ１を差口４２に接続する。
また、図６に示すように、下水管への排水路となる排水配管Ｐ３を受口４１に接続する。
【００２７】
この排水トラップＡは、上記のように、封水筒２ａの封水筒部２１の横断面形状を長円形としたので、円形の筒部の径を拡大し、浸水部上端通水断面積を大きくしようとした場合に比べ、筒部の横断面積、すなわち、排水流入部通水断面積の拡大を抑えることにより、排水の下向きの流速の低下を抑える。それにより浮力を持った泡が沈み込みやすく、浸水部上端を超え易い。よって、泡流れ性を確保しやすくなる。
また、上記実施の形態のように、封水筒部２１を長軸１３０ｍｍ、短軸５０ｍｍの長円形とすることによって、封水筒部２１の内部にスポンジ等を持って手を入れて掃除することができる形状にしたとしても円形のまま寸法を拡大するより、排水流入部通水断面積の拡大をできるだけ抑えながら図３に示す浸水部上端２１ａと、トラップ本体３の底３２ｅとの間の浸水部上端通水断面積を拡大し、排水性能を向上させることができる。なお、図３中、Ｗは、封水である。
すなわち、図１２に示すように、封水トラップＡの高さ寸法ｈ１を小さくすることができ、結果として、浴室ユニットの設置面Ｆから洗い場床面までの高さｈ２を小さくすることができる。
【００２８】
さらに、封水貯水部３２の排水部３３側の側壁面３２ａが傾斜面になっているので、封水筒２ａの封水筒部２１から流れ込む排水の流れ込みに伴ってオーバーフロー堰３１を乗り越えてスムーズに排水部３３に流れ込み、排水路へ排水される。
しかも、図１３に示すように、排水口７１も長円形にすることができるので、洗い場床７２側への排水口７１の張り出しを少なくすることができて、浴室内の安全性を高めることができる。
【００２９】
また、封水筒２ａを取り除くと、清掃口４４が露出し、この清掃口４４から高圧洗浄用ホースＨを差し入れて容易に排水路内を清掃することができる。
そして、従来の封水筒の筒部が円筒形である排水トラップの場合のように、上からねじ込んでトラップを固定する方式に変えて、排水トラップＡを防水床パン７ａの下面側からの作業で取り付けるようになっているので、排水口７１を小さくすることができる。
【００３０】
図１４及び図１５は、本発明にかかる排水トラップの第２の実施の形態をあらわしている。
図１４及び図１５に示すように、この排水トラップＢは、清掃口４５がねじ穴になっていて、この清掃口４５が、封水筒（図示せず）とは別体になってパッキン付きのねじ蓋４６をねじ込むことによって水密に閉じられ、封水筒を取り除けば、ねじ蓋４６を開閉できるようになっている以外は、上記排水トラップＡと同様になっている。
【００３１】
図１６及び図１７は、本発明にかかる排水トラップの第３の実施の形態をあらわしている。
図１６及び図１７に示すように、この排水トラップＣは、封水筒２ａのフランジ部２２を段部５２で受けさせるのではなく、フランジ部２２の周縁部が嵌り込む嵌合溝５６ａを備えたゴム製の封水筒固定部材５６を段部５２に代えて筒状部５１の下端部に設け、封水筒２ａのフランジ部２２を封水筒固定部材５６の上方から押し込み、封水筒固定部材５６を弾性変形させながら嵌合溝５６ａにフランジ部２２の周縁部を嵌め込み、封水筒２ａの位置を安定させるようにした以外は、上記排水トラップＡと同様になっている。
【００３２】
図１８〜図２０は、本発明にかかる排水トラップの第４の実施の形態をあらわしている。
図１８〜図２０に示すように、この排水トラップＤは、以下の構造になっている以外は、上記排水トラップＢと同様になっている。
【００３３】
すなわち、トラップ本体１ａのオーバーフロー堰３１と、オーバーフロー堰３１に平行な本体部３ａの側壁３２ａとの間に、本体部３ａの底３２ｅ間に隙間Ｓを備えた仕切り壁２９を形成されている。
そして、この仕切り壁２９と本体部３ａの側壁３２ａ，３２ｃ，３２ｄとによって
平面視長方形の封水筒部２８が形成されている。
また、排水管部４が、防水床パン７ａ側から排水口７１越しに直接視認できる位置に、洗浄用ホースを挿入可能でキャップ４６によって開閉自在な清掃口４５が設けられている。
【００３４】
因みに、封水筒部の横断面形状を、上記第１の実施の形態のように長軸１３０ｍｍ、短軸５０ｍｍの長円形とした場合、直径５０ｍｍの円形とした場合、直径１００ｍｍの円形とした場合のそれぞれについて、隙間Ｓを８ｍｍ、１６ｍｍとしたときの横断面積及び浸水部上端通水面積をそれぞれ求めた結果を表１に比較して示す。
【００３５】
【表１】
2010156098.tif 000003
【００３６】
さらに、封水筒部を上記第４の実施の形態のように、仕切り壁とトラップ本体の壁面との間で形成したときの、仕切り壁を長軸１３０ｍｍ、短軸５０ｍｍの長円形の長軸中心線で分けた片側のみとした場合、直径５０ｍｍの円形の半分とした場合、直径１００ｍｍの半円形とした場合のそれぞれについて、隙間Ｓを８ｍｍ、１６ｍｍとしたときの横断面積及び浸水部上端通水面積をそれぞれ求めた結果を表２に比較して示す。
【００３７】
【表２】
2010156098.tif 000004
【００３８】
本発明は、上記の実施の形態に限定されない。例えば、上記の実施の形態では、浴槽排水用排水トラップと排水管部で連通させるようになっていたが、シャワー室などに用いられる場合などのように本発明の排水トラップが単独で用いられる場合には、排水管部は無くても構わない。
【図面の簡単な説明】
【００３９】
【図１】本発明にかかる排水トラップの第１の実施の形態をあらわす斜視図である。
【図２】図１の排水トラップを浴槽排水用排水トラップと接続した状態の平面図である。
【図３】図１の排水トラップを防水床パンに取り付けた状態の排水口の長手方向の中間部で排水孔の長手軸に直交する面で切り欠いた状態を断面であらわす斜視図である。
【図４】図１の排水トラップを防水床パンに取り付けた状態の排水口の短手方向の浴槽よりの部分を排水口の長手軸に平行な面で切断した状態であって、封水筒を排水口側に取り外した状態を断面で斜視図である。
【図５】図１の排水トラップを防水床パンに取り付けた状態の排水口の短手方向の中間部で排水口の長手軸に平行な面で切断した状態を断面であらわす斜視図である。
【図６】図１の排水トラップを浴室ユニットに組み付けた状態であって、その排水管部部分を排水管部の管軸に平行な面で切断した状態を断面であらわす斜視図である。
【図７】図１の排水トラップの防水床パンへの装着方法を説明する図であって、そのアダプターを防水床パンに取り付けた状態をあらわす斜視図である。
【図８】図７の後工程をあらわす斜視図である。
【図９】図８の後工程をあらわす斜視図である。
【図１０】図１の排水トラップを防水床パンに取り付けた状態をあらわす斜視図である。
【図１１】図１の排水トラップを防水床パンに取り付けた状態の要部断面図である。
【図１２】浴室ユニットの設置面と、排水トラップ及び防水床パンとの配置を説明する一部切欠断面側面図である。
【図１３】防水床パンの排水口部分を上方から見た斜視図である。
【図１４】本発明にかかる排水トラップの第２の実施の形態であって、その清掃口部分のねじ蓋を外した状態をあらわす斜視図である。
【図１５】図１４の排水トラップの清掃口をねじ蓋で閉じた状態をあらわす斜視図である。
【図１６】本発明にかかる排水トラップの第３の実施の形態であって、その封水筒を排水口側に取り外して清掃口を開放した状態をあらわす斜視図である。
【図１７】図１６の排水トラップの封水筒を取り付けた状態をあらわす斜視図である。
【図１８】本発明にかかる排水トラップの第４の実施の形態の平面図である。
【図１９】図１８のＸ−Ｘ線断面図である。
【図２０】図１８の排水トラップを防水床パンに取り付けた状態の切欠断面斜視図である。
【図２１】従来の排水トラップを説明する断面図である。
【符号の説明】
【００４０】
Ａ，Ｂ，Ｃ，Ｄ  排水トラップ
１，１ａ  トラップ本体
２ａ，２ｂ  封水筒
２１，２８  封水筒部
２２  フランジ部
３，３ａ  本体部
３１  オーバーフロー堰
３２  封水貯水部
３３  排水部
３２ａ  側壁
３２ｃ  側壁
３２ｄ  側壁
４  排水管部
４４，４５  清掃口
７ａ  防水床パン
７１  排水口
Ｈ  洗浄用ホース
【図１】
2010156098.tif 000005
【図２】
2010156098.tif 000006
【図３】
2010156098.tif 000007
【図４】
2010156098.tif 000008
【図５】
2010156098.tif 000009
【図６】
2010156098.tif 000010
【図７】
2010156098.tif 000011
【図８】
2010156098.tif 000012
【図９】
2010156098.tif 000013
【図１０】
2010156098.tif 000014
【図１１】
2010156098.tif 000015
【図１２】
2010156098.tif 000016
【図１３】
2010156098.tif 000017
【図１４】
2010156098.tif 000018
【図１５】
2010156098.tif 000019
【図１６】
2010156098.tif 000020
【図１７】
2010156098.tif 000021
【図１８】
2010156098.tif 000022
【図１９】
2010156098.tif 000023
【図２０】
2010156098.tif 000024
【図２１】
2010156098.tif 000025